【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
医療用ポンプシステムであって、
コマンドおよびポンププログラミングパラメータの値のいずれかを入力するための入力装置と、
プログラミングコードを保存するためのメモリーと、
メモリーおよび入力装置と通信しプログラミングコードを実行するように動作可能であり、プログラミングコード、コマンド、およびポンププログラミングパラメータの値の少なくとも１つに応答し、表示信号を生成するプロセッサと、
表示信号を受信するためにプロセッサと通信し、表示信号に応答して、遠方表示スクリーンおよび近接表示スクリーンを含む、複数のスクリーンのうちの１つを生成する出力装置とを備え、
プログラミングコードが、遠方表示スクリーン上で複数の医学治療ボタンを表示するために動作可能であり、医学治療ボタンの少なくとも１つが、ユーザーによりアクティブ化される場合に、近接表示プログラミングスクリーンまたは複数のクィック滴定ボタンのいずれかを表示し、
プログラミングコードが、医学治療ボタンと同時に、遠方表示スクリーン上で複数のクィック滴定ボタンを表示するように動作可能であり、
遠方表示スクリーン上に表示される複数の医学治療ボタンに、ＰＩＧＧＹＢＡＣＫボタン、ＢＡＳＩＣボタン、ＢＯＬＵＳボタン、およびＡＤＶＡＮＣＥＤボタンが含まれる、医療用ポンプシステム。
【請求項２】
プログラミングコードが、クィック滴定ボタンのいずれかがユーザーによってアクティブ化される場合に、近接表示滴定スクリーンに直接ナビゲートして表示するように動作可能である、請求項１に記載の医療用ポンプシステム。
【請求項３】
また遠方表示スクリーンが、投与、分量、およびレート情報からなるグループから選択された現在のポンプ動作情報も同時に表示する、請求項１に記載の医療用ポンプシステム。
【請求項４】
遠方表示スクリーンが、ＳＴＡＲＴボタンとＳＴＯＰボタンを同時に表示する、請求項１に記載の医療用ポンプシステム。
【請求項５】
近接表示スクリーンが、ユーザーによってアクティブ化する場合に、近接表示プログラミングスクリーンが表示されるようにするＥＤＩＴボタンを表示する、請求項１に記載の医療用ポンプシステム。
【請求項６】
近接表示スクリーンが、ユーザーによってアクティブ化する場合に、遠方表示スクリーンが次に表示されるようにするＭＡＩＮ  ＭＥＮＵボタンを表示する、請求項１に記載の医療用ポンプシステム。
【請求項７】
ＭＡＩＮ  ＭＥＮＵボタンがさらに、遠方表示スクリーンで複数のクィック滴定ボタンも表示されるようにする、請求項６に記載の医療用ポンプシステム。
【請求項８】
メモリーがポンププログラミングパラメータに関係する制限事項を保存し、プロセッサが、ポンププログラミングパラメータの有効な入力範囲が存在するかどうかを判定し、かつポンププログラミングパラメータの有効な入力範囲の存在に関するメッセージをユーザーに表示するため、出力装置への表示信号を生成するように動作可能である、請求項１に記載の医療用ポンプシステム。
【請求項９】
プログラミングコードが、ユーザーが遠方表示スクリーンの医学治療ボタンの１つをタッチすることに応じて、ポンププログラミングパラメータの入力のために近接表示プログラミングスクリーンを表示するように動作可能である、請求項１に記載の医療用ポンプシステム。
【請求項１０】
医療用ポンプが液体送出のためにプログラムされる場合、プログラミングコードが、遠方表示スクリーンで、ユーザーによるタッチで選択可能な複数の医学治療ボタンの表示と同時に、ユーザーによるタッチで選択可能な複数のクィック滴定ボタンを表示するように動作可能である、請求項１に記載の医療用ポンプシステム。
【請求項１１】
クィック滴定ボタンのいずれかのユーザーによる選択的なタッチに応じて、プログラミングコードが、介在表示スクリーンなしで、次の表示スクリーンとして、近接表示滴定スクリーンを表示するように動作可能である、請求項１０に記載の医療用ポンプシステム。
【請求項１２】
プログラミングコードが、近接表示スクリーン上にＭＡＩＮ  ＭＥＮＵボタンを表示するように動作可能であり、ＭＡＩＮ  ＭＥＮＵボタンが、ユーザーによりタッチされる場合に、介在スクリーンを表示することなく、次のスクリーンとして遠方表示スクリーンを表示するように動作可能である、請求項１に記載の医療用ポンプシステム。
【請求項１３】
プログラミングコードが、ＥＤＩＴボタンを表示するように動作可能であり、該ＥＤＩＴボタンは、ユーザーによってアクティブ化される場合、直ちに近接表示プログラミングスクリーンが、介在スクリーンなしの次のスクリーンとして表示されるようにする、請求項１に記載の医療用ポンプシステム。
【請求項１４】
医療用ポンプシステムであって、
コマンドおよびポンププログラミングパラメータの値のいずれかを入力するための入力装置と、
プログラミングコードを保存するためのメモリーと、
メモリーおよび入力装置と通信しプログラミングコードを実行するように動作可能であり、プログラミングコード、コマンド、およびポンププログラミングパラメータの値の少なくとも１つに応答し、表示信号を生成するプロセッサと、
表示信号を受信するためにプロセッサと通信し、表示信号に応答して、遠方表示スクリーンおよび近接表示スクリーンを含む、複数のスクリーンのうちの１つを生成する出力装置とを備え、
プログラミングコードが、遠方表示スクリーン上で複数の医学治療ボタンを表示するように動作可能であり、医学治療ボタンの少なくとも１つが、ユーザーによりアクティブ化される場合に、近接表示プログラミングスクリーンまたは複数のクィック滴定ボタンのいずれかを表示し、
近接表示スクリーンおよび遠方表示スクリーンのいずれかが、第１の時間期間にわたり遠位圧の第１グラフが図示される遠位圧ボタンを表示するように動作可能である、医療用ポンプシステム。
【請求項１５】
ユーザーによってアクティブ化される場合に、遠位圧ボタンが、第１グラフより大きなサイズの遠位圧の第２グラフを表示させるように動作可能である、請求項１４に記載の医療用ポンプシステム。
【請求項１６】
第２グラフが、第１の時間期間よりも長い第２の時間期間にわたる遠位圧を図示する、請求項１５に記載の医療用ポンプシステム。
【請求項１７】
医療用ポンプシステムであって、
コマンドおよびポンププログラミングパラメータの値のいずれかを入力するための入力装置と、
プログラミングコードを保存するためのメモリーと、
メモリーおよび入力装置と通信しプログラミングコードを実行するように動作可能であり、プログラミングコード、コマンド、およびポンププログラミングパラメータの値の少なくとも１つに応答し、表示信号を生成するプロセッサと、
表示信号を受信するためにプロセッサと通信し、表示信号に応答して、遠方表示スクリーンおよび近接表示スクリーンを含む、複数のスクリーンのうちの１つを生成する出力装置とを備え、
プログラミングコードが、遠方表示スクリーン上で複数の医学治療ボタンを表示するように動作可能であり、医学治療ボタンの少なくとも１つが、ユーザーによりアクティブ化される場合に、近接表示プログラミングスクリーンまたは複数のクィック滴定ボタンのいずれかを表示し、
複数のスクリーンのうちの１つが、固定されたポジションのボタンを含み、該固定されたポジションのボタンが、ユーザーによりタッチされる場合に、複数のテキストおよび対応する機能／レスポンスの選択肢から１つのテキストおよび対応する機能／レスポンスの選択肢を表示するために、固定されたポジションのボタン上に表示されたテキストおよび対応する機能／レスポンスを切り換える、医療用ポンプシステム。